(57)【要約】【課題】例えば駐車場や駐輪場などで使用する照明装置、特にソーラパネル等の太陽電池を用いた照明装置に係り、夜間必要な時期のみ照明できると共に、不審者による盗難等の犯罪を未然に防止できるようにする。【解決手段】太陽電池８により発電した電力を電気二重層コンデンサ等の蓄電器１３に蓄電し、その蓄電した電力によって夜間発光ダイオード等の照明用光源９を所定時間点灯させるようにした照明装置において、上記照明用光源９とは別にフラッシュライト等の威嚇用光源１５を備え、上記照明用光源９を点灯させると略同時に上記威嚇用光源１５を点灯させるように構成したことを特徴とする。【選択図】図１
2005203243.tif 000002
【特許請求の範囲】
【請求項１】
太陽電池により発電した電力を電気二重層コンデンサ等の蓄電器に蓄電し、その蓄電した電力によって夜間発光ダイオード等の照明用光源を所定時間点灯させるようにした照明装置において、上記照明用光源とは別にフラッシュライト等の威嚇用光源を備え、上記照明用光源を点灯させると略同時に上記威嚇用光源を点灯させるように構成したことを特徴とする照明装置。
【発明の詳細な説明】
【技術分野】
【０００１】
本発明は、例えば夜間の駐車場や駐輪場または通行人の少ない路地などで使用する照明装置に関する。更に詳しくは、ソーラパネル等の太陽電池を用いた照明装置に関するものである。
【背景技術】
【０００２】
上記のようなソーラパネル等の太陽電池を用いた照明装置は、通常の商用電源や大掛かりな配線設備等を用いることなく簡便に照明できることから、最近たとえば道路施設やその他各種の照明手段として広く利用されている（例えば下記特許文献１，２参照）。
【０００３】
ところが、上記のような太陽電池は夜間は発電できないため、例えば夜間の街路灯や防犯灯などとして使用するには、太陽電池により発電した電力を効率よく蓄電すると共に、その蓄電した電力を効率よく利用する必要がある。
【０００４】
そこで、例えば下記特許文献３においては、太陽電池により発電した電力を、蓄電および放電効率のよい電気二重層コンデンサ等の蓄電器に蓄電すると共に、照明対象物体が検知された場合にのみ上記蓄電器に蓄電した電力によって発光ダイオード等の照明用光源を点灯させる照明装置が提案されている。
【０００５】
上記のような照明装置は、例えば夜間通行人の少ない路地や駐車場のように人の出入りが少なく、必ずしも長時間継続して点灯させる必要がない場合や、必要なときだけ照明できればよい様な場合に特に有効であり、太陽電池の発電容量や電気二重層コンデンサの蓄電容量が少なくて済む等の利点がある。
【０００６】
ところが、最近たとえば夜間人通りが少ない路地や駐車場等においては、不審者による痴漢等の被害や車上荒らし若しくは盗難等の犯罪が増加する傾向にあり、特に照明のない暗い路地や駐車場等はねらわれやすい。そのため、不審者の侵入や犯罪の発生を未然に防止することが求められている。
【０００７】
【特許文献１】特開２００１−３３９０９２号公報
【特許文献２】特開平１０−１８８６１９号公報
【特許文献３】特開２０００−１０２１９３号公報
【発明の開示】
【発明が解決しようとする課題】
【０００８】
本発明は上記のような要求に応えるべく提案されたもので、夜間必要な時期のみ照明できると共に、不審者による盗難等の犯罪を未然に防止することのできる照明装置を提供することを目的とする。
【課題を解決するための手段】
【０００９】
上記の目的を達成するために本発明による照明装置は、以下の構成としたものである。即ち、太陽電池により発電した電力を電気二重層コンデンサ等の蓄電器に蓄電し、その蓄電した電力によって夜間発光ダイオード等の照明用光源を所定時間点灯させるようにした照明装置において、上記照明用光源とは別にフラッシュライト等の威嚇用光源を備え、上記照明用光源を点灯させると略同時に上記威嚇用光源を点灯させるように構成したことを特徴とする。
【発明の効果】
【００１０】
上記のように、照明用光源を点灯させると略同時にフラッシュライト等の威嚇用光源を点灯させることによって、例えば駐車場等において不審者が侵入した場合には上記威嚇用光源によって写真撮影等がなされているかのうように錯覚して邪悪な行動が抑制され、車上荒らし等の犯罪を犯すのを未然に防止することが可能となる。
【発明を実施するための最良の形態】
【００１１】
図１（ａ）は本発明による照明装置の一実施形態を示す平面図、同図（ｂ）は側面図、図２（ａ）は要部の拡大縦断図、同図（ｂ）は底面図、図３（ａ）は図２（ａ）におけるＡ−Ａ縦断図、図３（ｂ）は図２（ａ）の右側面図である。
【００１２】
図において、１は照明装置の本体ケースで、その本体ケース１は本実施形態においては互いに対向面側が開口した略箱状の上ケース１ａと下ケース１ｂとを向かい合わせに嵌合して、その嵌合部にねじ込んだ複数個のビス２で抜け止め固定した構成である。
【００１３】
上記本体ケース１は、下ケース１ｂにボルト３ａ・ナット３ｂで取付けた平面略コ字形の支持金具３と、その支持金具３にボルト４ａ・ナット４ｂで連結固定した平面略Ｍ字形の取付金具４と、その取付金具４に一端が連結係合され他端に緊締用ボルト５ａ・ナット５ｂを備えた一対の固定バンド５・５によって、支柱Ｐに脱着可能に取付けられている。
【００１４】
また上記本体ケース１の上面と下面、すなわち上ケース１ａの上面と、下ケース１ｂの下面には、それぞれ投光性のカバー体６，７がビス６ａ，７ａ等で一体的に取付けられ、上ケース１ａ側のカバー体６内にはソーラパネル等よりなる太陽電池８が、また下ケース１ｂ側のカバー体７内には発光ダイオードよりなる複数個の照明用光源９がそれぞれ配設されている。
【００１５】
上記複数個の照明用光源９は、下ケース１ｂの下部内面に略方形枠状のベースプレート１０と支持脚１１を介して取付けた回路基板１２の下面側に所定の間隔をおいて１列に配列させて設けられ、その回路基板１２の上面側には電気二重層コンデンサ（キャパシタ）よりなる複数個の蓄電器１３が搭載されている。
【００１６】
また上記本体ケースの下面側には、人や車などの照明対象物を検知するための赤外線検出器等よりなる照明対象物検知センサ１４と、ストロボやフラッシュライト等よりなる威嚇用光源１５とが設けられ、その検知センサ１４と威嚇用光源１５は、それぞれ下ケース１ｂの下面に形成した開口部を介して本体ケース１の下面側に露出した状態で配置されている。
【００１７】
図４は上記照明装置における回路構成の一例を示すブロック図であり、昼間太陽電池８で発電された電力は充電用ＤＣ／ＤＣコンバータ１６を介して蓄電器１３に蓄電される。その際、上記コンバータ１６によって蓄電電圧が調整されると共に、均等充電回路１７によって前記複数個の蓄電器１３への充電量（蓄電量）が均等化される。
【００１８】
上記蓄電器１３に蓄電された電力は、オン・オフ切換スイッチ１８および出力用昇圧ＤＣ／ＤＣコンバータ１９を介して前記の照明用光源９および威嚇用光源１５に供給する構成であり、上記切換スイッチ１８は昼夜判定器２０等で夜間であると判定され、かつ前記の検知センサ１４で人や車などの照明対象物を検知した場合のみオンとなり、それ以外は常時オフとなるように構成されている。
【００１９】
具体的には、例えば本実施形態においては前記の昼夜判定器２０により太陽電池８の出力電圧が所定の値以下に低下したときを夜間と判定すると共に、前記蓄電器１３の電力で上記検知センサ１４を作動させ、その検知センサ１４で人や車などの照明対象物を検知した場合のみ切換スイッチ１８がオンとなって照明用光源９が点灯すると略同時に、威嚇用光源１５が点灯する構成である。なお上記太陽電池８の出力電圧が所定の値以上であるときは上記昼夜判定器２０は昼間と判断して蓄電器１３から検知センサ１４への通電が断たれるように構成されている。
【００２０】
上記のように構成された照明装置を、例えば駐車場等の入り口付近に設置すれば、その駐車場の利用者が夜間、上記の入り口から入って自分の駐車中の車に至る際、もしくは車に乗った状態で所定の駐車位置まで移動して駐車する際に、それを検知して駐車場内を前記の照明用光源９で照明できると共に、万一不審者が侵入した場合には、上記の照明用光源９とともに点灯する威嚇用光源１５によって、あたかもストロボ撮影やフラッシュ撮影を行って警戒しているかのようにして威嚇することができるものである。
【００２１】
なお、上記の照明用光源９の点灯時間や威嚇用光源１５の点灯回数等は適宜設定可能であり、例えば照明用光源９の点灯時間は、前記切換スイッチ１８がオンとなってから所定時間経過したときタイマ等により上記切換スイッチが自動的にオフに切り換わるようにすればよい。また照明用光源９および威嚇用光源１５の点灯タイミングは必ずしも同時でなくてもよく、いずれか一方の点灯を先行させる、あるいは照明用光源９の点灯中の任意のタイミングで威嚇用光源１５を点灯させるようにしてもよい。
【００２２】
また上記実施形態は、駐車場の照明装置に適用した場合を例にして説明したが、例えば通行人の少ない路地の街路灯や、住宅の門から玄関に至るアプローチの照明灯など、その他各種の照明装置として使用可能である。さらに前記のようなストロボやフラッシュライト等の威嚇用光源１５を設けるだけでなく、実際にスチール写真やビデオを撮影することのできるカメラを前記本体ケース１内もしくはその近傍に設けることもできる。
【産業上の利用可能性】
【００２３】
以上のように本発明による照明装置は、照明用光源９とともに威嚇用光源１５を設けたことによって、不審者が近寄り難くなって良好に牽制することが可能となり、犯罪の発生を少なくすることができる。その結果、防犯機能付きの照明装置を安価に提供することが可能となる。
【図面の簡単な説明】
【００２４】
【図１】（ａ）は本発明による照明装置の一実施形態を示す平面図、（ｂ）は正面図。
【図２】（ａ）は上記照明装置の要部の拡大縦断面図、（ｂ）はその底面図。
【図３】（ａ）は上記照明装置の拡大横断面図、（ｂ）は右側面図。
【図４】上記照明装置における回路構成の一例を示すブロック図。
【符号の説明】
【００２５】
１  本体ケース
１ａ  上ケース
１ｂ  下ケース
２  ビス
３  支持金具
４  取付金具
５  固定バンド
６、７  カバー体
８  太陽電池
９  照明用光源
１０  ベースプレート
１１  支持脚
１２  回路基板
１３  蓄電器
１４  照明対象物検知センサ
１５  威嚇用光源
１６  充電用ＤＣ／ＤＣコンバータ
１７  均等充電回路
１８  オン・オフ切換スイッチ
１９  出力用昇圧ＤＣ／ＤＣコンバータ
２０  昼夜判定器
Ｐ  支柱
【図１】
2005203243.tif 000003
【図２】
2005203243.tif 000004
【図３】
2005203243.tif 000005
【図４】
2005203243.tif 000006